【手続補正書】
【提出日】平成18年1月27日(2006.1.27)
【手続補正１】
【補正対象書類名】明細書
【補正対象項目名】特許請求の範囲
【補正方法】変更
【補正の内容】
【特許請求の範囲】
【請求項１】  ウェブサイト（web site）からのＷＷＷページ検索方法であって、
ＷＷＷアドレス又はその一部ではない、所望のサイトに関連付けられた情報の、ユーザーによるタイプ入力を含む、ユーザーによる入力と、
ソフトウェアへの前記サイトに関連付けられていない前記情報の提供と、
前記ソフトウェアによる、前記入力された情報に応じたページ・アドレスの提供と、
前記ページ・アドレスに応じた前記ページの検索と、
前記入力以外の追加のいかなるユーザーの関与もない、ブラウザを用いた前記ページの直接の表示とから成っており、
前記情報は、非ラテン言語で入力されること、
を特徴とするＷＷＷページ検索方法。
【請求項２】  ユーザー依存の情報の提供から成っており、ページ・アドレスの提供は、ユーザー依存の情報を用いた前記情報の分析から成ること、を特徴とする請求項１に記載のＷＷＷページ検索方法。
【請求項３】  ページ・アドレスの提供は、前記情報がユニークな見出しである変換テーブルからのURLの選択から成ること、を特徴とする請求項１又は請求項２に記載のＷＷＷページ検索方法。
【請求項４】  前記ページ・アドレスは、関連付けのデータベースを用いて決定されること、を特徴とする請求項１又は請求項２に記載のＷＷＷページ検索方法。
【請求項５】  前記データベースは、少なくとも論理的に特定のユーザーを関連付けられていること、を特徴とする請求項４に記載のＷＷＷページ検索方法。
【請求項６】  前記データベースは特定のユーザーに関する情報を含み、その情報はユーザーによって入力され、ページは前記情報に応じた表示のために選択され、前記データベースは、前記情報が前記ページの表示のために入力される場所から離れた場所で保存されること、を特徴とする請求項５に記載のＷＷＷページ検索方法。
【請求項７】  前記データベースは、前記特定のユーザーに特有の少なくとも一つの関連付けから成ること、を特徴とする請求項４又は請求項５に記載のＷＷＷページ検索方法。
【請求項８】  分析は、前記少なくとも一つの関連付けに応じた分析から成ること、を特徴とする請求項７に記載のＷＷＷページ検索方法。
【請求項９】  前記少なくとも一つの関連付けは、前記特定のユーザーによって入力されること、を特徴とする請求項７又は請求項８に記載のＷＷＷページ検索方法。
【請求項１０】  前記少なくとも一つの関連付けは、複数の示されたページからの前記特定のユーザーによるＷＷＷページの選択に応じて、自動的に生成されること、を特徴とする請求項７から請求項９のいずれかに記載のＷＷＷページ検索方法。
【請求項１１】  前記データベースにおける少なくとも一つの関連付けは、複数の示されたページからの前記特定のユーザーによるＷＷＷページの選択に応じて、自動的に生成されること、を特徴とする請求項７に記載のＷＷＷページ検索方法。
【請求項１２】  前記データベースは、少なくとも論理的に、変換のために前記データベースを利用する変換サーバーを関連付けられること、を特徴とする請求項４又は請求項５に記載のＷＷＷページ検索方法。
【請求項１３】  前記少なくとも論理的な関連付けは、物理的な関連付けから成ること、を特徴とする請求項５から請求項１２のいずれかに記載のＷＷＷページ検索方法。
【請求項１４】  ウェブサイト（web site）からのＷＷＷページ検索方法であって、
ＷＷＷアドレス又はその一部ではない、サイトの内容に関連付けられた情報の、ユーザーによるタイプ入力を含む入力と、
ソフトウェアに対し、前記サイトと関連なく、前記情報を、前記情報が入力されるセッション中に前記ユーザーにより入力されるユーザー依存の情報と共に入力することと、
前記ユーザー依存の情報を用いた前記入力された情報の分析と、
前記ソフトウェアによる、前記入力された情報と前記分析とに応じたページ・アドレスの提供と、
前記ページ・アドレスに応じた前記ページの検索と、
前記入力以外の追加のいかなるユーザーの関与もない、ブラウザを用いた前記ページの直接の表示と、
から成っていることを特徴とするＷＷＷページ検索方法。
【請求項１５】  提供は、前記情報が入力される地理的な場所に応じた提供から成ること、を特徴とする請求項１から請求項１４のいずれかに記載のＷＷＷページ検索方法。
【請求項１６】  ウェブサイト（web site）からのＷＷＷページ検索方法であって、
ＷＷＷアドレス又はその一部ではない、所望のサイトの内容に関連付けられた情報の、ユーザーによるタイプ入力を含む、情報入力フィールドへの入力と、
ソフトウェアへの前記サイトに関連付けられていない前記情報の提供と、
前記情報入力フィールドに入力された情報からではない、地理的な場所の決定と、
前記決定された地理的な場所に応じた前記情報の分析と、
前記ソフトウェアによる、前記入力された情報と前記分析とに応じたページ・アドレスの提供と、
前記ページ・アドレスに応じた前記ページの検索と、
前記入力以外の追加のいかなるユーザーの関与もない、ブラウザを用いた前記ページの直接の表示と、
から成っていることを特徴とするＷＷＷページ検索方法。
【請求項１７】  前記地理的な場所を決定することは、ユーザー入力の位置情報に基づいて決定することを含む、請求項１６に記載の方法。
【請求項１８】  前記地理的な場所を決定することは、コンフィグレーション時におけるユーザー入力の場所に基づいて決定することを含む、請求項１６に記載の方法。
【請求項１９】  前記地理的な場所を決定することは、前記情報が入力されるセッション中におけるユーザー入力の場所に基づいて決定することを含む、請求項１６に記載の方法。
【請求項２０】  前記ページアドレスの提供は、前記決定された地理的な場所と内容が関連するページのアドレスを提供することを含む、請求項１６から請求項１９のいずれかに記載の方法。
【請求項２１】  前記地理的な場所を決定することは、前記情報が入力された場所を決定することを含む、請求項１６から請求項２０のいずれかに記載の方法。
【請求項２２】  前記地理的な場所を決定することは、ユーザーの地理的な場所を決定することを含む、請求項１６から請求項２１のいずれかに記載の方法。
【請求項２３】  前記情報は、ユーザーにより標準のURLの入力と同じやり方で入力されること、を特徴とする請求項１から請求項２２のいずれかに記載のＷＷＷページ検索方法。
【請求項２４】  前記情報は、前記ブラウザのURL入力フィールドに入力されること、を特徴とする請求項２３に記載のＷＷＷページ検索方法。
【請求項２５】  前記情報は、前記ブラウザに重なり合ったウィンドウに入力されること、を特徴とする請求項１から請求項２４のいずれかに記載のＷＷＷページ検索方法。
【請求項２６】  前記ウィンドウは、前記ブラウザの位置決めウィンドウに重ね合わされること、を特徴とする請求項２５に記載のＷＷＷページ検索方法。
【請求項２７】  前記情報は、非ラテン語であること、を特徴とする請求項１４、１６、１７、１８、１９または２０に記載のＷＷＷページ検索方法。
【請求項２８】  前記情報は、ドメインネーム規格に適合していないことを特徴とする請求項１から請求項２７のいずれかに記載のＷＷＷページ検索方法。
【請求項２９】  前記情報は、URL規格に適合していないことを特徴とする請求項１から請求項２８のいずれかに記載のＷＷＷページ検索方法。
【請求項３０】  前記情報は、複数のワード（word）から成ることを特徴とする請求項１から請求項２９のいずれかに記載のＷＷＷページ検索方法。
【請求項３１】  前記情報は、フィールド識別子とフィールド照合値から成ること、を特徴とする請求項１から請求項２９のいずれかに記載のＷＷＷページ検索方法。
【請求項３２】  前記情報は、サイト所有者を関連付けられること、を特徴とする請求項１から請求項２９のいずれかに記載のＷＷＷページ検索方法。
【請求項３３】  前記情報は、前記所有者の部分的な市街住所から成ること、を特徴とする請求項３２に記載のＷＷＷページ検索方法。
【請求項３４】  前記情報は、前記所有者の電話番号から成ること、を特徴とする請求項３２に記載のＷＷＷページ検索方法。
【請求項３５】  ただ一つの変換を決定するための前記部分的な情報の分析から成っていること、を特徴とする請求項１から請求項３４のいずれかに記載のＷＷＷページ検索方法。
【請求項３６】  分析は前記情報内のスペルの修正から成ること、を特徴とする請求項３５に記載のＷＷＷページ検索方法。
【請求項３７】  スペルの修正は、少なくとも一つの字訳誤りの修正から成ること、を特徴とする請求項３６に記載のＷＷＷページ検索方法。
【請求項３８】  分析は、前記情報の自然言語認識の適用から成ること、を特徴とする請求項３５から請求項３７のいずれかに記載のＷＷＷページ検索方法。
【請求項３９】  分析は、あるタイプのサイトへのアクセスの阻止から成ること、を特徴とする請求項３５から請求項３８のいずれかに記載のＷＷＷページ検索方法。
【請求項４０】  前記変換は、ドメインネームのみから成ること、を特徴とする請求項３５から請求項３８のいずれかに記載のＷＷＷページ検索方法。
【請求項４１】  前記変換は、URLから成ること、を特徴とする請求項４０に記載のＷＷＷページ検索方法。
【請求項４２】  前記分析は、前記ページが表示される場所で、ローカルに実行されること、を特徴とする請求項３５から請求項４１のいずれかに記載のＷＷＷページ検索方法。
【請求項４３】  前記分析は、前記ページが表示された場所から離れたところで実行されること、を特徴とする請求項３５から請求項４１のいずれかに記載のＷＷＷページ検索方法。
【請求項４４】  前記分析は、前記情報と変換との１対１対応のマッピングの決定から成ること、を特徴とする請求項３５から請求項４３のいずれかに記載のＷＷＷページ検索方法。
【請求項４５】  前記情報は、前記ブラウザがサポートしていない言語で入力されること、を特徴とする請求項１から請求項４４のいずれかに記載のＷＷＷページ検索方法。
【請求項４６】  前記情報は、前記ブラウザがサポートしていないフォントで入力されること、を特徴とする請求項１から請求項４５のいずれかに記載のＷＷＷページ検索方法。
【請求項４７】  前記ページの直接の表示は、前記ページへのアクセスのためのパスワードの自動的な提供から成ること、を特徴とする請求項１から請求項４６のいずれかに記載のＷＷＷページ検索方法。
【請求項４８】  複数のそのようなパスワードが、前記ユーザーが関連付けられたパスワード・データベースに格納されていること、を特徴とする請求項４７に記載のＷＷＷページ検索方法。
【請求項４９】  サーバーであって、
会社情報にＷＷＷサイトを関連付けるデータベースと、
前記データベースを用い、会社情報を含む入力をＷＷＷサイトアドレスに変換するトランスレータ（translator）と、
ユーザー情報データベースとから成っており、
前記トランスレータは、前記変換のために前記ユーザー情報データベースを利用すること、
を特徴とするサーバー。
【請求項５０】  前記ユーザー・データベースは、ユーザーが以前に要求した変換から成ること、を特徴とする請求項４９に記載のサーバー。
【請求項５１】  前記ユーザー・データベースは、ユーザーの地理的な場所から成ること、を特徴とする請求項４９に記載のサーバー。
【請求項５２】  請求項４９から請求項５１のいずれかに記載のサーバーと、
前記入力を前記サーバーに与え、前記アドレスで示されるＷＷＷページを表示するクライアントと、
を含んでいることを特徴とするシステム。
【請求項５３】  サーバーであって、
情報をＷＷＷサイトに関連付けるデータベースと、
ユーザー情報データベースと、
前記データベースと前記ユーザー情報データベースを用いて、与えられた入力情報をＷＷＷサイトアドレスに変換するトランスレータ（translator）と、
から成っていることを特徴とするサーバー。
【請求項５４】  前記入力情報は、会社情報から成ること、を特徴とする請求項５３に記載のサーバー。
【請求項５５】  前記入力情報は、ドメインネーム情報から成ること、を特徴とする請求項５３に記載のサーバー。
【請求項５６】  前記入力情報は、URL情報から成ること、を特徴とする請求項５３に記載のサーバー。
【請求項５７】  コンピュータにより実行される、既存のブラウザと統合するためのソフトウェア・ユニットであって、
前記ブラウザと統合されるようになっており、前記ブラウザのユーザー・インターフェースに少なくとも一つの機能を追加する第１のモジュールと、
情報が格納されているリモート・サイト（remote site）と通信する第２のモジュールとから成っており、
前記第２のモジュールは、前記情報の少なくともいくつかを検索するために前記通信を使用し、前記追加された機能を実行すること、
を特徴とするソフトウェア・ユニット。
【請求項５８】  前記機能は、e-mailをサイト所有者に送信することから成り、前記情報は、サイトとサイト所有者のe-mailアドレスとの関連付けから成ること、を特徴とする請求項５７に記載のソフトウェア・ユニット。
【請求項５９】  前記機能は、ポール（poll）応答インターフェースから成り、前記情報は、少なくとも一つの、表示すべきポール（poll）の質問から成ること、を特徴とする請求項５７に記載のソフトウェア・ユニット。
【請求項６０】  前記機能は、部分的な情報をＷＷＷアドレスに変換することから成り、前記情報は、部分的な情報とＷＷＷアドレスとの関連付けから成ること、を特徴とする請求項５７に記載のソフトウェア・ユニット。
【請求項６１】  前記ブラウザで入力されたインプットに応じて前記情報を更新する第３のモジュールから成っていること、を特徴とする請求項５７から請求項６０のいずれかに記載のソフトウェア・ユニット。
【請求項６２】  前記リモート・サイトは、前記ユーザー情報データベースに応じて、前記機能によって要求される動作を実行すること、を特徴とする請求項５７から請求項６１のいずれかに記載のソフトウェア・ユニット。
【請求項６３】  前記リモート・サイトは、前記ブラウザのユーザーが関連付けられた情報に応じて、部分的な入力情報と会社情報データベースの照合を実行すること、を特徴とする請求項６２に記載のソフトウェア・ユニット。
【請求項６４】  前記リモート・サイトは、前記機能と前記ブラウザのユーザーが関連付けられた前記情報とに応じて、第２のリモート・サイトにクレジットカード情報を送信すること、を特徴とする請求項６２に記載のソフトウェア・ユニット。
【請求項６５】  前記機能は、前記機能が未使用中のとき、前記ブラウザのGUI（Graphical User Interface）の画像の形式に影響を与えないこと、を特徴とする請求項５７から請求項６４のいずれかに記載のソフトウェア・ユニット。
【請求項６６】  前記機能は、前記機能が使用中であるとき、前記ブラウザのGUI（Graphical User Interface）の画像の形式に影響を与えないこと、を特徴とする請求項５７から請求項６４のいずれかに記載のソフトウェア・ユニット。
【請求項６７】  コンピュータにより実行されるソフトウェア・ユニットであって、
ブラウザから、ＷＷＷアドレス又はその一部ではない、所望のサイトの内容に関連する情報を受信する第１のモジュールと、
前記情報をＷＷＷアドレス指定の規格に適合するＷＷＷアドレスに変換する第２のモジュールと、
前記ブラウザに、前記変換されたＷＷＷアドレスに関連するページを表示するように指示する第３のモジュールと、
から成っていることを特徴とするソフトウェア・ユニット。
【請求項６８】  前記第２のモジュールは、リモートの変換サービスを用いて前記変換を実行すること、を特徴とする請求項６７に記載のソフトウェア・ユニット。
【請求項６９】  前記第１のモジュールは、TCP/IPスタックを装うこと、を特徴とする請求項６７又は請求項６８に記載のソフトウェア・ユニット。
【請求項７０】  前記第１のモジュールは、HTTPサービス・ハンドラを装うこと、を特徴とする請求項６７又は請求項６８に記載のソフトウェア・ユニット。
【請求項７１】  前記第１のモジュールは、DNSサーバーを装うこと、を特徴とする請求項６７又は請求項６８に記載のソフトウェア・ユニット。
【請求項７２】  前記第１のモジュールは、前記ブラウザからユーザーの入力を取り込むこと、を特徴とする請求項６７又は請求項６８に記載のソフトウェア・ユニット。
【請求項７３】  前記第３のモジュールは、OLE/DDEサービスを利用すること、を特徴とする請求項６７から請求項７２のいずれかに記載のソフトウェア・ユニット。
【請求項７４】  前記変換されたアドレスは、完全なURLから成ること、を特徴とする請求項６７から請求項７３のいずれかに記載のソフトウェア・ユニット。
【請求項７５】  前記ユニットは、リモートのコンピュータにアップロードすべきサイトアクセス情報を提供するアップロード・モジュールから成ること、を特徴とする請求項６７から請求項７４のいずれかに記載のソフトウェア・ユニット。
【請求項７６】  前記ユニットは、前記情報に応じてＷＷＷページを生成するページ生成モジュールから成ること、を特徴とする請求項６７から請求項７５のいずれかに記載のソフトウェア・ユニット。
【請求項７７】  前記生成されるＷＷＷページは、可能性のあるＷＷＷページのリストから成ること、を特徴とする請求項７６に記載のソフトウェア・ユニット。
【請求項７８】  前記生成されるページは、特定のサイトの複数のページのディレクトリから成ること、を特徴とする請求項７６又は請求項７７に記載のソフトウェア・ユニット。
【請求項７９】  前記生成されるページは、少なくとも一つの広告から成ること、を特徴とする請求項７６から請求項７８のいずれかに記載のソフトウェア・ユニット。
【請求項８０】  前記生成されるページは、さらなる情報の要求を表示すること、を特徴とする請求項７６から請求項７９のいずれかに記載のソフトウェア・ユニット。
【請求項８１】  前記生成されるページは、リモートのＷＷＷアドレスの要求に応じて、ローカルに生成されること、を特徴とする請求項７６から請求項８０のいずれかに記載のソフトウェア・ユニット。
【請求項８２】  前記ユニットは、要求されたＷＷＷページの非利用可能性に応じたメッセージを表示するメッセージ送信モジュールから成ること、を特徴とする請求項６７から請求項８１のいずれかに記載のソフトウェア・ユニット。
【請求項８３】  前記ユニットは、e-mailの受取人と関連付けられた情報に応じて、e-mailアドレスを修正するe-mailモジュールから成ること、を特徴とする請求項６７から請求項８２のいずれかに記載のソフトウェア・ユニット。
【請求項８４】  前記ユニットは、別々にコンパイルされたソフトウェアであること、を特徴とする請求項５７から請求項８３のいずれかに記載のソフトウェア・ユニット。
【請求項８５】  請求項５７から請求項８４のいずれかに記載のソフトウェア・ユニットの表現が記録されたコンピュータ読み取り可能な媒体。
【請求項８６】  ウェブサイト（web site）からのＷＷＷページ検索方法であって、
前記サイトが関連付けられた情報の入力と、
前記情報のスペルの修正と、
ブラウザを用いた、前記情報に応じたページの表示と、
から成っていることを特徴とするＷＷＷページ検索方法。
【請求項８７】  スペル修正は、字訳誤りの修正から成ること、を特徴とする請求項８６に記載のＷＷＷページ検索方法。
【請求項８８】  前記情報はURLから成ること、を特徴とする請求項８６に記載のＷＷＷページ検索方法。
【請求項８９】  インターネット資源のアクセス方法であって、
前記資源の部分的なアドレスさえも含まない情報の入力と、
ユーザーによる前記入力以外のいかなる介在もない、前記情報に応じた前記資源へのアクセスとから成っており、
前記資源は、ニュースグループから成ること、
を特徴とするインターネット資源へのアクセス方法。
【請求項９０】  e-mailのアドレス指定方法であって、
エイリアスや、有効なe-mailアドレスの一部分又はニックネームではない、間違ったe-mailアドレスの入力と、
第１のリモートの場所の情報を用いた自動的な前記アドレスの修正と、
前記修正されたアドレスを用いた、インターネットを介した、第２のリモートの場所へのe-mailメッセージの送信と、
から成っていることを特徴とするe-mailのアドレス指定方法。
【請求項９１】  前記間違ったe-mailアドレスは、所望のe-mailアドレスが関連付けられた情報から成ること、を特徴とする請求項９０に記載のe-mailのアドレス指定方法。
【請求項９２】  前記情報は、少なくとも地理的なアドレスの一部分から成ること、を特徴とする請求項９１に記載のe-mailのアドレス指定方法。
【請求項９３】  前記情報は、少なくとも電話番号の一部分から成ること、を特徴とする請求項９１に記載のe-mailのアドレス指定方法。
【請求項９４】  ＷＷＷアドレスでなはい、所望のサイトに関連するクエリ情報のユーザーによる入力と、
複数の異なるオーナーが所有する複数のウェブサイトの為のページアドレスを提供するよう構成されたトランスレータへの前記情報の提供と、
前記トランスレータによる、前記入力された情報に応じての複数のページアドレスの決定と、
前記トランスレータによる、前記決定された複数のページアドレスからのユニークなページアドレスの選択と、
前記ユニークなページアドレスからのページの取得と、
前記情報の入力以外の追加のいかなるユーザーの関与もない、ブラウザを用いた前記取得したページの直接の表示と、
からなるウェブサイトからのＷＷＷページ検索方法。
【請求項９５】  ユーザー依存の情報を提供することを含み、
複数のページを提供すること及びユニークなページアドレスを選択することの一方又は両方は、前記ユーザー依存の情報を利用することを含む、請求項９４に記載の方法。
【請求項９６】  前記ユーザー依存の情報の少なくともいくつかはユーザによって供給される、請求項９５に記載の方法。
【請求項９７】  前記トランスレータに情報を提供することは、前記所望のサイトに関連する情報の入力における前記ユーザによる入力以上の情報を前記トランスレータに提供することを含む、請求項９４から請求項９６のいずれかに記載の方法。
【請求項９８】  ユニークなページアドレスを選択することは、前記ユーザの以前のウェブアクセスに従って選択することを含む、請求項９４から請求項９７のいずれかに記載の方法。
【請求項９９】  前記情報を入力することは、複数の単語を入力することを含む、請求項９４から請求項９８のいずれかに記載の方法。
【請求項１００】  ユニークなページアドレスを選択することは、同じ情報を入力した異なるユーザーが異なるページを受信するように、前記入力された情報に含まれないユーザー情報に応じてユニークなアドレスを選択することを含む、請求項９４から請求項９９のいずれかに記載の方法。
【請求項１０１】  前記トランスレータは前記情報が入力された場所から遠く離れており、前記サイトのページのページアドレスを選択することは、前記トランスレータにより管理される複数のデータベースの一つであるユーザーに関係付けられたデータベースにアクセスすることによって決定されたアドレスを提供することを含む、請求項９４から請求項１００のいずれかに記載の方法。
【請求項１０２】  前記ユーザーに関係付けられたデータベースは、入力された情報とそれぞれのページアドレスとの少なくとも一つの関連を含む、請求項１０１に記載の方法。
【請求項１０３】  前記少なくとも一つの関連はユーザーにより入力される、請求項１０２に記載の方法。
【請求項１０４】  前記情報の入力は、ユーザーによるタイプ入力を含む、請求項９４から請求項１０３のいずれかに記載の方法。
【請求項１０５】  前記入力された情報は前記ユニークなアドレスの一部ではない、請求項９４から請求項１０４のいずれかに記載の方法。
【請求項１０６】  ユニークなページアドレスを選択することは、複数の提案されたページからの、前記ユーザーによるＷＷＷページの以前の選択に応じての選択を含む、請求項９４から請求項１０５のいずれかに記載の方法。
【請求項１０７】  ユニークなページアドレスを選択することは、複数の提案されたページからの、複数のユーザーによる特定のＷＷＷページの以前の選択に応じての選択を含む、請求項９４から請求項１０６のいずれかに記載の方法。
【請求項１０８】  前記情報は非ラテン言語で入力される、請求項９４から請求項１０７のいずれかに記載の方法。
【請求項１０９】  前記情報を入力することは、一単語のみ入力することを含む、請求項９４から請求項１０８のいずれかに記載の方法。
【請求項１１０】  前記複数のウェブアドレスの決定は、自動のウェブ検索を実行することを含む、請求項９４から請求項１０９のいずれかに記載の方法。
【請求項１１１】  前記トランスレータは、前記情報が入力されるコンピュータ上に位置する、請求項９４から請求項１１０のいずれかに記載の方法。
【請求項１１２】  前記ユニークなページアドレスは、前記入力された情報についてユニークな一致が見つからない場合であっても選択される、請求項９４から請求項１１１のいずれかに記載の方法。
【請求項１１３】  前記入力された情報は非ラテン文字セットの文字からなる１以上の単語を含む、請求項９４から請求項１１２のいずれかに記載の方法。